(57)【要約】【課題】複数種類のカードのうちのいずれのカードが装着されても安定的に位置決めされるカードトレイを備える。また、カードを無駄に押す力を緩和する。【解決手段】このカードコネクタは、コネクタ本体２０とカードトレイ３０とを有する。カードトレイ２０には、第１装着部３１と第２装着部３２と第３装着部３３とが設けられている。第１装着部３１には、マイクロＳＤカード４０が装着される。また、第２装着部３２には、ナノＳＩＭカード５０が装着される。ここで、第１装着部３１と第２装着部３２は一部領域が互いに重なっている。第１装着部３１にマイクロＳＤカード４０が装着されたカードトレイ３０がコネクタ本体２０内に挿し込まれる。すると、そのマイクロＳＤカード４０には、マイクロＳＤカード４０用のコンタクト２５１だけでなく、ナノＳＩＭカード５０用の、３列に形成されたコンタクト２６１のうちの一列のコンタクト２６１が当接する。【選択図】図５
2018014164.tif 000002
【特許請求の範囲】
【請求項１】
各々の裏面に接続パッドが設けられた複数種類のカードが選択的に装着されるカードトレイと、前記カードトレイを受容する受容空間を有するとともに、該カードトレイが該受容空間に受容されたときの該カードトレイに選択的に装着されている複数種類のカード各々の接続パッドにそれぞれ接触する、各々が挿抜方向に複数列に並ぶ複数のコンタクトからなる複数のコンタクト群を備えたコネクタ本体とを具備し、
前記カードトレイが、一部領域が互いに重なって前記挿抜方向に互いにずれた各領域に広がる、前記複数種類のカードのうちの第１種類のカードおよび第２種類のカードの各々が装着される第１装着部および第２装着部を有し、
前記第１装着部が、該第１装着部に前記第１種類のカードが装着された状態の前記カードトレイが前記受容空間に受容されたときに、前記第２種類のカードの接続パッドに接触するコンタクト群を構成している挿抜方向に複数列に並ぶコンタクトのうちの一部の列のコンタクトが該第１種類のカードに当接する位置に設けられていることを特徴とするカードコネクタ。
【請求項２】
前記挿抜方向に交わる幅方向についての、前記第１装着部に装着される向きの前記第１種類のカードの幅寸法が、前記第２装着部に装着される向きの前記第２種類のカードの幅寸法よりも小さいカードであって、
前記第１装着部と前記第２装着部が、該第１装着部に装着された第１種類のカードの裏面の、前記カードトレイの裏面からの高さが、該第２装着部に装着された第２種類のカードの裏面の、前記カードトレイの裏面からの高さよりも低くなる高さに設けられていることを特徴とする請求項１に記載のカードコネクタ。
【請求項３】
前記第１装着部が、該第１装着部に前記第１種類のカードが装着された状態の前記カードトレイが前記受容空間に受容されたときに、前記第２種類のカードの接続パッドに接触するコンタクト群を構成している挿抜方向に複数列に並ぶコンタクトのうちの１列のコンタクトが該第１種類のカードに当接する位置に設けられていることを特徴とする請求項１または２に記載のカードコネクタ。
【請求項４】
前記第１装着部が、前記第２装着部よりも前記カードトレイの前記受容空間への挿込みの向きの下流側まで広がっていることを特徴とする請求項１から３のうちのいずれか１項に記載のカードコネクタ。
【請求項５】
前記カードトレイは、前記第１装着部および前記第２装着部への前記第１種類のカードおよび前記第２種類のカードの選択的な装着とは無関係に、前記第２種類のカードがもう１枚装着される第３装着部を有することを特徴とする請求項１から４のうちのいずれか１項に記載のカードコネクタ。
【発明の詳細な説明】
【技術分野】
【０００１】
本発明は、複数種類のカードが選択的に装着されるカードトレイと、そのカードトレイが挿抜自在に挿し込まれるコネクタ本体とを備えたカードコネクタに関する。
【背景技術】
【０００２】
複数種類のカードが選択的に装着されるカードトレイを備えたカードコネクタが知られている。例えば、特許文献１には、第１カードと、その第１カードよりも肉厚かつ幅広で同じ長さからなる第２カードとが選択的に載置可能なカードトレイを備えたカード用コネクタ装置が提案されている。
【先行技術文献】
【特許文献】
【０００３】
【特許文献１】特開２００８−１０８６９６号公報
【発明の概要】
【発明が解決しようとする課題】
【０００４】
互いに寸法が異なる複数種類のカードをカードトレイの重なった領域に選択的に載置する構造のカードトレイの場合、そのカードトレイ上での各々のカードの位置決め、特に寸法の小さい方のカードの位置決めが問題となる。また、いずれか１種類のカードを載置したカードトレイをコネクタ本体に挿し込むと、その載置されたカードの接続パッドに接触すべきコンタクトだけでなく、他の種類のカードの接続パッドに接触すべきコンタクトも、載置されたカードに接触する。すなわち、その載置されたカードは、他のカードの接続パッドに接触するコンタクトからも力を受けることになる。このため、コネクタ本体は、その力に耐えるだけの高い剛性を必要とし、特に厚み方向に関し、カードコネクタの大型化を招くおそれがある。一方、これを避ける手段として、複数種類のカードの載置領域を互いに干渉しないように別々に設けることも考えられる。しかしながら、これでは、複数種類のカードを同時に載置させる必要がないにもかかわらず、載置されたカード以外のカードを載置させるスペースが無駄に広がることになり、回路基板上への広い搭載面を必要とするカードコネクタとなるおそれがある。
【０００５】
本発明は、上記事情に鑑み、複数種類のカードが選択的且つ排他的に装着可能であって、それらの複数種類のカードのうちのいずれのカードが装着された場合であっても安定的に位置決めされるカードトレイを備えるとともに、引用文献１に提案された構造のコネクタと比べ、カードを無駄に強く押す力が緩和されたカードコネクタを提供することを目的とする。
【課題を解決するための手段】
【０００６】
上記目的を達成する本発明のカードコネクタは、
各々の裏面に接続パッドが設けられた複数種類のカードが選択的に装着されるカードトレイと、そのカードトレイを受容する受容空間を有するとともに、カードトレイが受容空間に受容されたときのカードトレイに選択的に装着されている複数種類のカード各々の接続パッドにそれぞれ接触する、各々が挿抜方向に複数列に並ぶ複数のコンタクトからなる複数のコンタクト群を備えたコネクタ本体とを具備し、
上記カードトレイが、一部領域が互いに重なって挿抜方向に互いにずれた各領域に広がる、複数種類のカードのうちの第１種類のカードおよび第２種類のカードの各々が装着される第１装着部および第２装着部を有し、
第１装着部が、その第１装着部に第１種類のカードが装着された状態のカードトレイが受容空間に受容されたときに、第２種類のカードの接続パッドに接触するコンタクト群を構成している挿抜方向に複数列に並ぶコンタクトのうちの一部の列のコンタクトが第１種類のカードに当接する位置に設けられていることを特徴とする。
【０００７】
本発明のカードコネクタの場合、第１装着部と第２装着部は、一部領域が互いに重なって挿抜方向に互いにずれた各領域に広がっている。このため、第１装着部に第１種類のカードを装着した場合と、第２装着部に第２種類のカードを装着した場合のいずれについても装着されたカードが安定的に位置決めされる。また、本発明のカードコネクタの場合、第１装着部に装着された第１種類のカードには、その第１種類のカードとの間で電気的に導通するコンタクト群以外では第２装着部に装着される第２種類のカードと導通するコンタクト群を構成している複数列のコンタクトのうちの一部の列のコンタクトにのみ当接する。したがって、前掲の特許文献１にて提案された構造のように２種類のカードの載置領域を重ねた場合と比べ、無駄に受ける力が緩和される。
【０００８】
ここで、本発明のカードコネクタにおいて、
挿抜方向に交わる幅方向についての、第１装着部に装着される向きの第１種類のカードの幅寸法が、第２装着部に装着される向きの第２種類のカードの幅寸法よりも小さいカードであって、
第１装着部と第２装着部が、第１装着部に装着された第１種類のカードの裏面の、カードトレイの裏面からの高さが、第２装着部に装着された第２種類のカードの裏面の、カードトレイの裏面からの高さよりも低くなる高さに設けられていることが好ましい。
【０００９】
このように高さを変えると、そこに段差を設けることができる。種類の異なるカードの寸法差を利用して段差を設けることにより、第２種類のカードよりも幅寸法の小さい第１種類のカードの装着安定性をさらに向上させることができる。
【００１０】
また、本発明のカードコネクタにおいて、
第１装着部が、その第１装着部に第１種類のカードが装着された状態のカードトレイが受容空間に受容されたときに、第２種類のカードの接続パッドに接触するコンタクト群を構成している挿抜方向に複数列に並ぶコンタクトのうちの１列のコンタクトが第１種類のカードに当接する位置に設けられていることが好ましい。
【００１１】
このように、第１装着部を、その第１装着部に装着された第１種類のカードに、第２種類のカード用のコンタクト群を構成する複数列のコンタクトのうちの例えば１列のコンタクトのみが当接する領域に設けることにより、コンタクトから受ける余計な力が緩和される。
【００１２】
さらに、本発明のカードコネクタにおいて、第１装着部が、第２装着部よりもカードトレイの受容空間への挿入の向きの下流側まで広がっていることも好ましい形態である。
【００１３】
本発明を構成するカードトレイは、例えばこのように、第１装着部が第２装着部よりも挿入の向きの下流側まで広がるようにレイアウトされる。
【００１４】
さらに、本発明のカードコネクタにおいて、カードトレイは、第１装着部および第２装着部への第１種類のカードおよび第２種類のカードの選択的な装着とは無関係に、第２種類のカードがもう１枚装着される第３装着部を有することも好ましい形態である。
【００１５】
このように、本発明は、第１装着部および第２装着部への第１種類のカードおよび第２種類のカードの選択的な装着とは無関係な第３装着部を有していてもよい。
【発明の効果】
【００１６】
以上の本発明によれば、複数種類のカードが選択的且つ排他的に装着可能であって、それらの複数種類のカードのうちのいずれのカードが装着された場合であっても安定的に位置決めされるカードトレイを備えたカードコネクタが実現する。また、本発明によれば、引用文献１に提案された構造のコネクタと比べ、カードを無駄に強く押す力が緩和されたカードコネクタが実現する。
【図面の簡単な説明】
【００１７】
【図１】本発明の一実施形態としてのカードコネクタの斜視図である。
【図２】カードが装着された状態のカードトレイの斜視図と平面図である。
【図３】カードトレイの斜視図および平面図である。
【図４】金属シェルを取り外して、コネクタ本体のハウジングの内側を示した斜視図と平面図である。
【図５】コネクタ本体の受容空間にカードトレイが受容された状態を示す平面図である。
【発明を実施するための形態】
【００１８】
以下、本発明の実施の形態について説明する。
【００１９】
図１は、本発明の一実施形態としてのカードコネクタの斜視図である。ここで、図１（Ａ）は、カードコネクタ１０を構成するコネクタ本体２０とカードトレイ３０を別々に示した図である。また、図１（Ｂ）は、コネクタ本体２０にカードトレイ３０が挿し込まれた状態のカードコネクタ１０を示した図である。
【００２０】
このカードコネクタ１０は、コネクタ本体２０と、そのカードコネクタ１０に挿抜自在に、矢印Ｆの向きに挿し込まれるカードトレイ３０とを有する。
【００２１】
コネクタ本体２０は、ハウジング２１を金属シェル２２で覆った構造を有する。そして、ハウジング２１と金属シェル２２との間にカードトレイ３０が挿し込まれる挿込口２３が形成されている。さらにこのコネクタ本体２０の、挿込口２３の奥には、挿し込まれたカードトレイ３０を受容する受容空間２４が形成されている。
【００２２】
また、カードトレイ３０には、詳細は後述するが、挿込みの向きの下流側（矢印Ｆの向きの先端側）から順に、各々にカードが装着される第１装着部３１、第２装着部３２、および第３装着部３３が設けられている。ただし、第１装着部３１と第２装着部３２は、それぞれの一部領域が互いに重なっている。この図１には、カードが装着されていない状態のカードトレイ３０が示されている。
【００２３】
このカードトレイ３０は、カードが装着された状態で、矢印Ｆで示す挿込みの向きに挿込口２３からコネクタ本体２０内に挿し込まれてる。そして、このカードトレイ３０は、図１（Ｂ）に示すように、その挿込口２３の奥の受容空間２４内に受容される。
【００２４】
図２は、カードが装着された状態のカードトレイの斜視図（Ａ−１，Ａ−２）と平面図（Ｂ−１，Ｂ−２）である。
【００２５】
図２（Ａ−１），（Ｂ−１）には、第１装着部３１にマイクロＳＤカード４０が装着されるとともに第３装着部３３にナノＳＩＭカード６０が装着されている状態のカードトレイ３０が示されている。ここでは、第２装着部３２の一部が空いた状態にある。
【００２６】
また、図２（Ａ−２），（Ｂ−２）には、第２装着部３２にナノＳＩＭカード５０が装着されるとともに第３装着部３３にナノＳＩＭカード６０が装着されている状態のカードトレイ３０が示されている。ここでは、第１装着部３１の一部が空いた状態にある。
【００２７】
ここで、このカードトレイ３０の第１装着部３１および第２装着部３２は、一部領域が互いに重なっていて、矢印Ｆで示す挿抜方向に互いにずれた各領域に広がっている。これらの第１装着部３１と第２装着部３２は一部領域が互いに重なっているため、第１装着部３１と第２装着部３２を同時に使用することはできず、第１装着部３１と第２装着部３２は選択的に使用される。すなわち、図２（Ａ−１）に示すように、第１装着部３１にマイクロＳＤカード４０を装着すると、第２装着部３２にナノＳＩＭカード５０を装着することはできない。また、これと同様に、第２装着部３２にナノＳＩＭカード５０を装着すると、第１装着部３１にはマイクロＳＤカード４０を装着することはできない。
【００２８】
ただし、第３装着部３３には第１装着部３１および第２装着部３２へのマイクロＳＤカード４０およびナノＳＩＭカード５０の装着の有無とは無関係に、もう１枚のナノＳＩＭカード６０を装着することができる。ここで、本実施形態のカードトレイ３０の第１装着部３１、第２装着部３２、および第３装着部３３は。本発明にいう、それぞれ第１装着部、第２装着部、および第３装着部の各一例に相当する。また、本実施形態のカードトレイ３０の第１装着部３１に装着されるマイクロＳＤカード４０は、本発明にいう第１種類のカードの一例に相当する。また第２装着部３２および第３装着部３３に装着されるナノＳＩＭカード５０，６０は、本発明にいう第２種類のカードの一例に相当する。
【００２９】
図３は、カードトレイの斜視図（Ａ）および平面図（Ｂ）である。
【００３０】
上述の通り、このカードトレイ３０には、第１装着部３１、第２装着部３２、および第３装着部３３が設けられている。第１装着部３１と第２装着部３２には、それらの双方に広がる、カードトレイ３０の下面側に開いた第１開口３４が形成されている。また、第３装着部３３にも、カードトレイ３０の下面側に開いた第２開口３５が形成されている。そして、第１装着部３１には、その第１開口３４の左右両側に、マイクロＳＤカード４０（図２参照）が載置される第１載置台３１１が設けられている。マイクロＳＤカード４０は、第１装着部３１に、その第１装着部３１に装着される姿勢における、矢印Ｆで示す挿抜方向に交わる幅方向両側の縁が第１載置台３１１の上に載るように装着される。そして、その第１装着部３１に装着されたマイクロＳＤカード４０は、そのマイクロＳＤカード４０の下面に設けられている接続パッド（不図示）を第１開口３４から下方に露出させる状態となる。
【００３１】
この第１装着部３１に装着されたマイクロＳＤカード４０は、幅方向には、その第１装着部３１の左右の立壁３１２により位置規制される。また、マイクロＳＤカード４０には、図２に示すように、幅方向の一方に突き出た凸部４１が形成され、さらにその凸部４１の、矢印Ｆで示す挿込みの向きの後方側に凹部４２が形成されている。
【００３２】
一方、第１装着部３１にもマイクロＳＤカード４０の凸部４１および凹部４２に倣った形状の凹部３１３と凸部３１４が形成されている。そして、この第１装着部３１に装着されたマイクロＳＤカード４０は、そのマイクロＳＤカード４０の凸部４１が第１装着部３１の凹部３１３に入り込み、第１装着部３１の凸部３１４がマイクロＳＤカード４０の凹部４２に入り込む。この第１装着部３１に装着されたマイクロＳＤカード４０は、それらの凹凸の嵌合と、第１開口３４の、矢印Ｆの向きの前端を画定している前壁３４１とにより、その矢印Ｆで示す挿抜方向の位置が規制されている。
【００３３】
また、第２装着部３２にも第１開口３４の左右両側に第２載置台３２１が設けられている。この第２装着部３２に装着されるナノＳＩＭカード５０は、第２装着部３２に、その第２装着部３２に装着される姿勢における幅方向両側の縁が第２載置台３２１の上に載るように装着される。そして、その第２装着部３２の装着されたナノＳＩＭカード５０は、そのナノＳＩＭカード５０の下面に設けられている接続パッド（不図示）を第１開口３４から下方に露出させる状態となる。この第２装着部３２に装着されたナノＳＩＭカード５０は、幅方向については、その第２装着部３２の左右の立壁３２２により位置規制される。また矢印Ｆで示す挿抜方向については、この第２装着部３２の、挿込みの向きの後端を画定している立壁３２３と、左右の第２載置台３２１のうちの一方の第２載置台３２１の前端の壁部３２４とによって位置規制される。
【００３４】
また、第３装着部３３には第２開口３５の左右両側に第３載置台３３１が設けられている。この第３装着部３３に装着されるナノＳＩＭカード６０は、第３装着部３３に、その第３装着部３３に装着される姿勢における幅方向両側の縁が第３載置台３３１の上に載るように装着される。そして、その第３装着部３３に装着されたナノＳＩＭカード６０は、そのナノＳＩＭカード６０の下面に設けられている接続パッド（不図示）を第２開口３５から下方に露出させる状態となる。この第３装着部３３に装着されたナノＳＩＭカード６０は、幅方向については、その第３装着部３３の左右の立壁３３２により位置規制される。また矢印Ｆで示す挿抜方向については、この第３装着部３３の、挿込みの向きの後端を画定している立壁３３３と、この第３装着部３３の、挿込みの向きの前端を画定している立壁３３４とによって位置規制される。
【００３５】
ここで、矢印Ｆで示す挿抜方向に交わる幅方向について、第１装着部３１に装着される向きのマイクロＳＤカード４０の幅寸法は、第２装着部３２に装着される向きのナノＳＩＭカード５０の幅寸法よりも小さいカードである。そこで、本実施形態では、この寸法差を利用し、第１載置台３１１を第２載置台３２１よりも一段低い位置に設けている。ここで、マイクロＳＤカード４０が第１装着部３１に装着されたときのそのマイクロＳＤカード４０の裏面の、カードトレイ３０の裏面からの高さをｈ１とする。また、ナノＳＩＭカード５０が第２装着部３２に装着されたときのそのナノＳＩＭカード５０の裏面の、カードトレイ３０の裏面からの高さをｈ２とする。ここでは、第１載置台３１１を第２載置台３２１よりも一段低い位置に設けているため、ｈ１＜ｈ２となる。これにより、第１装着部３１と第２装着部３２とが重なった領域では、第１載置台３１１と第２載置台３２１との間に立壁３４２が形成される。すなわち、本実施形態では、マイクロＳＤカード４０とナノＳＩＭカード５０の幅寸法が異なることを利用して、第１装着部３１と第２装着部３２とが重なった領域に立壁３４２を形成している。この立壁３４２を形成したことにより、第１装着部３１に装着されたときのマイクロＳＤカード４０の姿勢安定性を一層向上させている。
【００３６】
また、このカードトレイ３０の、矢印Ｆで示す挿込みの向きの前方寄りの左右の外側面には、窪み３６が形成されている。これら左右の窪み３６は、このカードトレイ３０をコネクタ本体２０に挿し込んだときのロック用の窪みである。詳細は後述する。
【００３７】
図４は、金属シェルを取り外して、コネクタ本体のハウジングの内側を示した斜視図（Ａ）と平面図（Ｂ）である。
【００３８】
このコネクタ本体２０には、ハウジング２１に支持された第１コンタクト群２５と第２コンタクト群２６と第３コンタクト群２７とが備えられている。第１コンタクト群２５を構成する複数本のコンタクト２５１は、矢印Ｆで示す挿抜方向に２列に形成されている。この第１コンタクト群２５を構成するコンタクト２５１は、受容空間２４内に受容されたマイクロＳＤカード４０の下面の接続パッド（不図示）に接触してマイクロＳＤカード４０との間の電気的な接続を担うコンタクトである。
【００３９】
また、第２コンタクト群２６を構成する複数本のコンタクト２６１は、矢印Ｆで示す挿抜方向に３列に形成されている。この第２コンタクト群２６を構成するコンタクト２６１は、受容空間２４内に受容されたナノＳＩＭカード５０の下面の接続パッド（不図示）に接触してナノＳＩＭカード５０との間の電気的な接続を担うコンタクトである。
【００４０】
さらに、第３コンタクト群２７を構成する複数本のコンタクト２７１も、矢印Ｆで示す挿抜方向に３列に形成されている。この第３コンタクト群２７を構成するコンタクト２７１は、受容空間２４内に受容されたナノＳＩＭカード６０の下面の接続パッド（不図示）に接触してナノＳＩＭカード６０との間の電気的な接続を担うコンタクトである。
【００４１】
また、このハウジング２１の、受容空間２４の周りには、カードトレイ３０をコネクタ本体２０に挿抜するための機構が備えられている。すなわち、カードトレイ３０には、矢印Ｆで示す挿込みの向きの前端近くの左右両側にロック用の窪み３６が設けられている。一方、ハウジング２１には、カードトレイ３０が受容空間２４に受容されたときのカードトレイ３０の左右両側の窪み３６にそれぞれ対応する左右の位置に、ロック突起７１が備えられている。これらのロック突起７１は、それぞれ弾性アーム７２に固定されている。そして、これらのロック突起７１は、受容空間２４に受容されたカードトレイ３０の窪み３６に入り込む（図５参照）。カードトレイ３０は、その窪み３６にロック突起７１が入り込むことにより、コネクタ本体２０から不用意に抜け出ないように、受容空間２４内に受容された状態にロックされる。
【００４２】
また、このハウジング２１には、矢印Ｆで示す挿込み方向へのスライドが可能なスライドバー７３と、そのスライドバー７３に押されて回動する回動レバー７４が備えられている。受容空間２４内に受容されている状態にあるカードトレイ３０をその受容空間２４から抜き取る際は、スライドバー７３が不図示のイジェクトピンで矢印Ｆで示す挿込みの向きに押される。すると、そのスライドバー７３がその挿込みの向きにスライドして、回動レバー７４の一端部７４ａを押す。すると、その回動レバー７４の他端部７４ｂが、受容空間２４内に受容されているカードトレイ３０を、矢印Ｆで示す挿込みの向きとは逆向きに押す。これにより、弾性アーム７２が弾性変形してロック突起７１がカードトレイ３０の窪み３６から外れ、カードトレイ３０がコネクタ本体２０から少し押し出される。その後は、指の爪や治具を使って、カードトレイ３０をコネクタ本体２０から引き抜く。本実施形態のカードコネクタ１０の場合、このような構造により、受容空間２４内に受容されたカードトレイ３０をロックし、また、受容空間２４内に受容されているカードトレイ３０がコネクタ本体２０から取り出される。
【００４３】
図５は、コネクタ本体の受容空間にカードトレイが受容された状態を示す平面図である。ただし、ここでは、金属シェル２２（図１参照）は取り外されている。ここで、図５（Ａ）には、カードトレイ３０の第１装着部３１および第３装着部３３に、それぞれマイクロＳＤカード４０およびナノＳＩＭカード６０が装着されている状態が示されている。また、図５（Ｂ）には、カードトレイ３０の第２装着部３２および第３装着部３３のそれぞれに、ナノＳＩＭカード５０，６０が装着されている状態が示されている。
【００４４】
図５（Ａ）に示すように、マイクロＳＤカード４０には、そのマイクロＳＤカード４０の下面の接続パッド（不図示）との間で電気的に接続される第１コンタクト群２５を構成する各コンタクト２５１のほか、ナノＳＩＭカード５０用の第２コンタクト群２６を構成する、矢印Ｆで示す挿抜方向に３列に並ぶコンタクト２６１（図４参照）のうちの一部の列のコンタクト２６１が接している。具体的には、本実施形態では、挿込みの向きの前方側の一列のコンタクト２６１が、マイクロＳＤカード４０に接している。このナノＳＩＭカード５０用のコンタクト２６１は、マイクロＳＤカード４０とは電気的に接続しないコンタクトである。したがって、このマイクロＳＤカード４０は、ナノＳＩＭカード５０用のコンタクト２６１によって余計な力を受けることになる。ただし、ここでは一部の列のコンタクト２６１のみが接しているだけなので、この程度の余計な力を受けただけでは、特には問題は生じない。なお、このマイクロＳＤカード４０に、第１コンタクト群２５を構成しているコンタクト２５１に加えて、第２コンタクト群２６を構成している全ての列のコンタクト２６１が接すると仮定すると、その分、マイクロＳＤカード４０が強く押し上げられることとなる。その場合、金属シェル２２（図１参照）として、さらに板厚の厚い材料を用いるなどの対策が必要となるおそれがある。金属シェル２２として、板厚の厚い材料を用いると、このカードコネクタ１０の高さ寸法が増し、カードコネクタ１０が大型化することになる。
【００４５】
本実施形態では、ナノＳＩＭカード５０用の第２コンタクト群２６を構成する挿抜方向に３列に並ぶコンタクト２６１のうちの一部の列（具体的には一列）のコンタクト２６１のみが接する構成としている。これにより、本実施形態では、マイクロＳＤカード４０が押し上げられる余計な力を問題のないレベルに抑えている。また、本実施形態では、第１装着部３１と第２装着部３２の各一部領域を互いに重ねることによって、小型化が図られている。
【００４６】
なお、本実施形態における、マイクロＳＤカード４０が押し上げられる余計な力を抑えることと、第１装着部３１と第２装着部３２の各一部領域を互いに重ねることによる小型化を図ることとのバランスは、第３装着部３３の有無にかかわらず成り立つことである。
【００４７】
また、ここでは、本発明にいう第１種類のカードおよび第２種類のカードの各一例として、それぞれマイクロＳＤカード４０およびナノＳＩＭカード５０を取り上げて説明している。だたし、本発明は、マイクロＳＤカード４０とナノＳＩＭカード５０との組合せに限られるものではなく、種類の異なるカードをカードトレイに選択的に装着する構成として広く適用することができる。
【符号の説明】
【００４８】
１０    カードコネクタ
２０    コネクタ本体
２１    ハウジング
２２    金属シェル
２３    挿込口
２４    受容空間
２５    第１コンタクト群
２５１  コンタクト
２６    第２コンタクト群
２６１  コンタクト
２７    第３コンタクト群
２７１  コンタクト
３０    カードトレイ
３１    第１装着部
３１１  第１載置台
３１２  立壁
３１３  凹部
３１４  凸部
３２    第２装着部
３２    第２載置台
３２２，３２３  立壁
３２４  壁部
３３    第３装着部
３３１  第３載置台
３３２，３３３，３３４  立壁
３４    第１開口
３４１  前壁
３４２  立壁
３５    第２開口
４０    マイクロＳＤカード
４１    凸部
４２    凹部
５０，６０    ナノＳＩＭカード
７１    ロック突起
７２    弾性アーム
７３    スライドバー
７４    回動レバー
【図１】
2018014164.tif 000003
【図２】
2018014164.tif 000004
【図３】
2018014164.tif 000005
【図４】
2018014164.tif 000006
【図５】
2018014164.tif 000007